(57)【要約】【課題】  二次冷却系配管の減肉の発生を効果的に低減することを可能とするPWR発電所二次冷却系の配管減肉抑制システムを提供する。【解決手段】  PWR発電所二次冷却系の配管減肉抑制システムであって、PWR発電所二次冷却系の二次冷却材にモリブデン酸塩を注入するモリブデン酸塩注入部を備えることを特徴とする。【選択図】  図１
2014071076.tif 000002
【特許請求の範囲】
【請求項１】
PWR発電所二次冷却系の配管減肉抑制システムであって、
前記PWR発電所二次冷却系の二次冷却材にモリブデン酸塩を注入するモリブデン酸塩注入部を備えることを特徴とするPWR発電所二次冷却系の配管減肉抑制システム。
【請求項２】
前記モリブデン酸塩注入部は、前記PWR発電所二次冷却系の二相流系配管に接続することを特徴とする請求項１に記載のPWR発電所二次冷却系の配管減肉抑制システム。
【請求項３】
前記二相流系配管は、抽気系及びドレン系の少なくとも一方であることを特徴とする請求項２に記載のPWR発電所二次冷却系の配管減肉抑制システム。
【請求項４】
前記モリブデン酸塩は、モリブデン酸アンモニウムであることを特徴とする請求項１から３のいずれかに記載のPWR発電所二次冷却系の配管減肉抑制システム。
【請求項５】
PWR発電所二次冷却系の配管減肉抑制方法であって、
前記PWR発電所二次冷却系の二次冷却材にモリブデン酸塩を注入することを特徴とするPWR発電所二次冷却系の配管減肉抑制方法。
【請求項６】
前記PWR発電所二次冷却系の二相流系配管へ前記モリブデン酸塩を注入することを特徴とする請求項５に記載のPWR発電所二次冷却系の配管減肉抑制方法。
【請求項７】
前記二相流系配管は、抽気系及びドレン系の少なくとも一方であることを特徴とする請求項６に記載のPWR発電所二次冷却系の配管減肉抑制方法。
【請求項８】
前記モリブデン酸塩は、モリブデン酸アンモニウムであることを特徴とする請求項５から７のいずれかに記載のPWR発電所二次冷却系の配管減肉抑制方法。
【発明の詳細な説明】
【技術分野】
【０００１】
本発明は、PWR発電所二次冷却系における二次冷却材にモリブデン酸塩を注入することにより、PWR発電所の二次冷却系配管の減肉抑制を可能としたPWR発電所二次冷却系の配管減肉抑制システム及びその方法に関するものである。
【背景技術】
【０００２】
加圧水型原子力発電所（以下、PWR発電所とする）の二次系の構造材料として用いられている炭素鋼配管の腐食（全面腐食、流れ加速型腐食など）に伴い、厳密な肉厚測定に基づく減肉管理や配管取替えに多大な費用や労力を要している。
【０００３】
更に、炭素鋼配管の腐食によって生成した腐食生成物が、蒸気発生器（以下、SGとする）伝熱管や、その他の熱交換器の伝熱管にスケールとして付着することで、伝熱管の腐食環境を形成するほか、発電所の熱効率を低下させるなどの原因ともなっているため、PWR二次系において、炭素鋼配管の減肉を抑制することは極めて重要な課題となっている。
【０００４】
PWR二次系では、配管減肉抑制対策として給水への酸素注入が計画されている。給水への酸素注入は炭素鋼配管の表面に安定なヘマタイト皮膜を形成することにより、炭素鋼の腐食を抑制し、流れ加速型腐食（FAC）による配管減肉を抑制することができる（例えば、特許文献１参照）。
【先行技術文献】
【特許文献】
【０００５】
【特許文献１】特開2010-96534号公報
【発明の概要】
【発明が解決しようとする課題】
【０００６】
しかしながら、特許文献１の技術においては、抽気系などの二相流域では注入した酸素の大部分が気相へと移行し、安定的なヘマタイト皮膜を形成することが難しい場合がある。
【０００７】
本発明は、このような従来の問題を解決するためになされたもので、PWR発電所二次冷却系の二次冷却材にモリブデン酸塩を注入することにより、PWR二次系配管の炭素鋼表面へのモリブデンを含んだ酸化皮膜の形成を可能としたPWR発電所二次冷却系の配管減肉抑制システム及び方法を提供しようとするものである。
【課題を解決するための手段】
【０００８】
本発明は、PWR発電所二次冷却系の配管減肉抑制システムであって、PWR発電所二次冷却系の二次冷却材にモリブデン酸塩を注入するモリブデン酸塩注入部を備えることを特徴とする。
【０００９】
また、本発明は、PWR発電所二次冷却系の配管減肉抑制方法であって、PWR発電所二次冷却系の二次冷却材にモリブデン酸塩を注入することを特徴とする。
【発明の効果】
【００１０】
本発明によれば、PWR発電所二次冷却系の二次冷却材にモリブデン酸塩を注入することにより、二次冷却系配管表面にモリブデンを含んだ酸化皮膜が形成され、これにより、二次冷却系配管の減肉の発生を効果的に低減することが可能となる。
【図面の簡単な説明】
【００１１】
【図１】PWR発電所における二次冷却系の構成を示す図である。
【発明を実施するための形態】
【００１２】
以下、本発明の実施形態であるPWR発電所二次冷却系の配管減肉抑制システム及び方法について、詳細に説明をする。
【００１３】
まず、一般的なPWR発電所における二次冷却系の構成及び二次冷却材の流れについて簡単に説明をする。図１は、PWR発電所における二次冷却系の構成を示す図である。
【００１４】
蒸気発生器で発生した蒸気は配管を介して高圧タービンに導かれる。高圧タービンで仕事をした蒸気は、湿分分離加熱器を介して改質された後、配管を介して低圧タービンへ導かれる。そして、低圧タービンでも仕事をした蒸気は復水器で凝集し、ポンプにより二次冷却材は配管を介して復水処理装置へ送られる。その後、二次冷却材はポンプ及び配管を介して低圧給水加熱器へ送られ、配管を介して脱気器へ送られる。脱気器で脱気された二次冷却材はポンプ及び配管を介して高圧給水加熱器へ送られ、配管を介して蒸気発生器へ給水される。
【００１５】
本実施形態のPWR発電所二次冷却系の配管減肉抑制システムは、PWR発電所二次冷却系の二次冷却材にモリブデン酸塩を注入するモリブデン酸塩注入部を備える。これにより、PWR二次系配管の炭素鋼表面へのモリブデンを含んだ酸化皮膜の形成が可能となり、減肉の発生を効果的に低減することが可能となる。
【００１６】
本実施形態のモリブデン酸塩注入部は、PWR発電所二次冷却系の二相流系配管に接続することが好ましい。これにより、安定的なヘマタイト皮膜を形成することが難しい二相流系配管の表面へのモリブデンを含んだ酸化皮膜の形成が効果的に可能となる。
【００１７】
二相流系配管は、例えば、抽気系又はドレン系である。具体的には、抽気系は、図１の高圧タービン-脱気器間の配管Ａ1、高圧タービン-高圧給水加熱器間の配管Ａ2、及び、低圧タービン-低圧給水加熱器間の配管Ａ3等であり、ドレン系は図１の湿分分離加熱器-高圧給水加熱器間の配管Ｂ1、高圧給水加熱器-脱気器間の配管Ｂ2、及び、低圧給水加熱器-復水ブースターポンプ間の配管Ｂ3等である。
【００１８】
本実施形態のモリブデン酸塩は、塩の形態を問わないが、モリブデン酸アンモニウム等が挙げられる。また、本実施形態のモリブデン酸塩は、冷却材中のMoO42-の濃度が10ppb以下となるよう、系統へ注入する運用方法等が考えられる。
【００１９】
以上説明したように、本実施形態のPWR発電所二次冷却系の配管減肉抑制方法によれば、PWR発電所二次冷却系の二次冷却材にモリブデン酸塩を注入することにより、二次冷却系配管表面にモリブデンを含んだ酸化皮膜が形成され、これにより、二次冷却系配管の減肉の発生を効果的に低減することが可能となる。
【図１】
2014071076.tif 000003